(57)【特許請求の範囲】
【請求項１】
最内層にヒートシール性樹脂層を有する積層体からなる包材の両側端部を合掌状に貼り合せて背貼りシール部を形成し、底部および天部をシールしてなる筒状構造を有する包装袋であって、前記背貼りシール部の所定部位に開封のきっかけとなる開封ノッチを有し、包材の上部の巾方向中央部に、包装袋の周方向への引裂きを誘導させる開封誘導線を有し、該開封誘導線は略水平な開封誘導線中央部と、該開封誘導線中央部の両端から包材の側端部に向かう開封誘導線端部とからなり、該開封誘導線端部の先端は包材の側端から１ｍｍ以上内側にあり、前記開封ノッチは、包材を縦にした時に前記開封誘導線の最下点から最上点までの高さの範囲内に存在するとともに、包材を縦にした時に前記開封ノッチの先端から水平に引いた線と、前記開封誘導線端部とが交わる角度が１０°以上８０°以下であり、さらに、前記開封誘導線端部の先端は、背貼りシール部に到達していることを特徴とする包装袋。
【請求項２】
前記開封誘導線は、略水平な開封誘導線中央部と、該開封誘導線中央部の両端から二股に分かれ、それぞれ包材の側端部に向かう４本の開封誘導線端部からなることを特徴とする請求項１に記載の包装袋。
【請求項３】
前記開封誘導線中央部と開封誘導線端部とは、曲線によってなめらかに接続していることを特徴とする請求項１または２に記載の包装袋。
【請求項４】
印刷を施した包材原反にレーザー加工法によって開封誘導線を形成する工程、印刷を施した包材原反を所定巾にスリットする工程、背貼りシール部を形成し、開封ノッチを設ける工程を少なくとも含むことを特徴とする請求項１〜３のいずれか１項に記載の包装袋の製造方法。
【発明の詳細な説明】
【技術分野】
【０００１】
本発明は包装袋に関し、特に軟包材フィルムの両側端部を合掌状に背貼りシールして筒状とし、底部と天部をシールしてなる包装袋において、背貼りシール部に設けた開封位置から水平に容易に開封可能な、易開封性の包装袋およびその製造方法に関する。
【背景技術】
【０００２】
従来から、軟包材をシールして袋状に成形した包装袋が食品、トイレタリーを初めとしたさまざまな用途に用いられている。包装袋としては、種々の形状のものが存在するが、最も一般的な形状として、ピロー型、ガセット型が挙げられる。これらの包装袋は、縦長にスリットした包材の両側端部を合掌状に重ね合わせてシールし、背貼りシール部を形成して筒状に成形した後、底部と天部をシールして完成する。これらの包装袋を開封するには、天部のシール部に開封ノッチを設けて、袋を縦に裂くように開封するか、あるいは背貼りシール部に開封ノッチを設けて、袋を水平に裂くように開封するかいずれかの開封方法が一般的である。
【０００３】
縦に裂く場合には、表面側の包材と裏面側の包材がシール部から見て同じ方向にあるので、比較的容易に開封することができる。しかし背貼り部を開封開始点として、水平に開封するいわゆる帽子切りをしようとすると、背貼り部を中心として右側の包材と左側の包材とが反対方向に向かっているため、背貼り部の開封ノッチから始まった裂け目が袋本体にかかった所で止まってしまい、スムーズに開封することができないという問題がある。
【０００４】
この問題を解決するために、特許文献１に記載された包装袋は、背貼りシール部に一対の切欠きを形成して開封の際の摘み部とした包装袋において、背貼りシール部の折れ曲がり基部周辺のフィルムに粗面加工部を形成したことを特徴とする包装袋である。
【０００５】
特許文献１に記載された包装袋は、フィルムの粗面加工部の脆弱性を利用して、背貼りシール部に形成した切欠き部から始まった裂け目が袋本体で止まることなく進行するようにしたものである。
【０００６】
特許文献２に記載された包装用袋の開封構造は、背シール部の端縁に異なる長さの２本の切り込みを設け、さらにシート材の背シール部との境界部分に多数の微細な傷痕を設けたことを特徴とする開封構造である。
【０００７】
特許文献２に記載された開封構造によれば、特許文献１に記載された包装袋と同様に、異なる長さの２本の切り込みとシート材に設けた微細な傷痕の働きにより、背シール部から始まった裂け目が袋本体で止まることなく進行するため、周方向の開封が可能となるとしている。
【０００８】
特許文献３に記載された易開封性包装袋は、外面層とアルミニウム層と炭酸ガスレーザー吸収層と熱接着性樹脂層を有する積層フィルムからなる包装袋において、開封する際に引き裂く線に沿って前記炭酸ガスレーザー吸収層に炭酸ガスレーザーによる切目線を形成したことを特徴とする易開封性包装袋である。特許文献３には、ピロータイプ袋に応用した場合として、合掌熱接着部に形成された切込から両側端の方向に延びる切目線が形成された包装袋が記載されている。
【０００９】
特許文献３に記載された易開封性包装袋は、積層フィルムに炭酸ガスレーザーによる切目線を設けたことにより、背貼りシール部に設けた切込から始まった裂け目が切目線に沿
って進むため、切断面がきれいな易開封性包装袋となっている。
【００１０】
特許文献４に記載された包装体は、フィルム材の両側端部を合掌状に貼り合わせて背貼り部を形成して筒状体を形成し、両端部をシールした包装体であって、背貼り部の所定部位に設けられ、開封の起点となる開封起点部と、背貼り部に沿って形成されフィルム材の背貼り部に沿った方向への引き裂きを誘導する第１引き裂き誘導部と包装体の周方向に延びフィルム材の周方向への引き裂きを誘導する第２引き裂き誘導部とを有することを特徴とする包装体である。
【００１１】
特許文献４に記載された発明は、本発明の目的であるところの、包装体を水平方向に開封することを目的としたものではないが、この発明には、前記第２引き裂き部の開始点を背貼り部の根元線上またはその近傍で、開封起点部と略同位置となるように形成するという記載がある。
【先行技術文献】
【特許文献】
【００１２】
【特許文献１】特許第3578419号公報
【特許文献２】特開平10-35694号公報
【特許文献３】特開2001-106240公報
【特許文献４】特開2008-189324号公報
【発明の概要】
【発明が解決しようとする課題】
【００１３】
特許文献１および２に記載された包装袋は、開封のきっかけを与えるだけのものであるため、容器本体部分において、フィルムの切断面が不規則になりやすく、開封後の外観が美しくない。またしばしば途中で裂け目が引っ掛かって円滑に開封できなくなる可能性があるという問題を内包している。
【００１４】
特許文献３および４に記載された包装袋は、切目線あるいは引き裂き誘導部を設けたために、切断面が不規則になるという問題は解消したものの、切込あるいは開封起点部とこの切目線あるいは引き裂き誘導部とを厳密に一致させなければならず、実際の包装袋の製造工程を考慮すると、製造上極めて困難な問題が生じる。すなわち、切目線あるいは引き裂き誘導部は、包装フィルムの段階で形成するのが一般的であり、背シール部に設ける切込あるいは開封起点部は、背貼りシール後に形成するものであるから、この両者を厳密に位置合わせするのは、機械的に極めて困難である。
【００１５】
切込あるいは開封起点部と切目線あるいは引き裂き誘導部とが少しでもずれていると、本来の開封口とは異なる部分が裂け始め、初期の目的が達成されないことになる。また別の問題として、包装フィルムに横方向の切目線を設けると、製袋工程においてフィルムが切断しやすくなるため、生産性が低下するという問題もある。
【００１６】
本発明の解決しようとする課題は、上記の従来の問題点を解消し、背貼り部分から開封し、包装袋の上部と下部を切り離すいわゆる帽子切り動作をする際、開封ノッチから周方向に対して直線状に、かつ美麗な切り口で引裂くことができ、しかも製袋生産性に優れた包装袋を提案するものである。
【課題を解決するための手段】
【００１７】
上記の課題を解決するための手段として、請求項１に記載の発明は、最内層にヒートシール性樹脂層を有する積層体からなる包材の両側端部を合掌状に貼り合せて背貼りシール部を形成し、底部および天部をシールしてなる筒状構造を有する包装袋であって、前記背貼りシール部の所定部位に開封のきっかけとなる開封ノッチを有し、包材の上部の巾方向中央部に、包装袋の周方向への引裂きを誘導させる開封誘導線を有し、該開封誘導線は略水平な開封誘導線中央部と、該開封誘導線中央部の両端から包材の側端部に向かう開封誘導線端部とからなり、該開封誘導線端部の先端は包材の側端から１ｍｍ以上内側にあり、前記開封ノッチは、包材を縦にした時に前記開封誘導線の最下点から最上点までの高さの範囲内に存在するとともに、包材を縦にした時に前記開封ノッチの先端から水平に引いた線と、前記開封誘導線端部とが交わる角度が１０°以上８０°以下であり、さらに、前記開封誘導線端部の先端は、背貼りシール部に到達していることを特徴とする包装袋である。
【００１８】
また、請求項２に記載の発明は、前記開封誘導線が、略水平な開封誘導線中央部と、該開封誘導線中央部の両端から二股に分かれ、それぞれ包材の側端部に向かう４本の開封誘導線端部からなることを特徴とする請求項１に記載の包装袋である。
【００２１】
また、請求項３に記載の発明は、前記開封誘導線中央部と開封誘導線端部とが、曲線によってなめらかに接続していることを特徴とする請求項１または２に記載の包装袋である。
【００２２】
また、請求項４に記載の発明は、印刷を施した包材原反にレーザー加工法によって開封誘導線を形成する工程、印刷を施した包材原反を所定巾にスリットする工程、背貼りシール部を形成し、開封ノッチを設ける工程を少なくとも含むことを特徴とする請求項１〜３のいずれか１項に記載の包装袋の製造方法である。
【発明の効果】
【００２３】
本発明に係る包装袋は、上部の包材の巾方向中央部に、包装袋の周方向への引裂きを誘導させる開封誘導線を有し、該開封誘導線は略水平な開封誘導線中央部と、該開封誘導線中央部の両端から包材の側端部に向かう開封誘導線端部とからなり、該開封誘導線端部の先端は包材の側端から１ｍｍ以上内側にあり、開封誘導線は、包材の側端に達していないため、包材が製造工程において開封誘導線を発端にして破断することがなく、従って安定して製造することができる。
【００２４】
またこの事は、本発明に係る包装袋を製造する際に、開封誘導線を形成するに当たり、レーザー加工機を用いて広幅の状態で開封誘導線をまとめて形成し、しかる後に所定の幅にスリットして個々の包材とすることが可能なことを意味しており、従って極めて効率的に製造することができる。
【００２５】
また、開封ノッチは、包材を縦にした時に前記開封誘導線の最下点から最上点までの高さの範囲内に存在するので、包装袋を開封する際に、開封ノッチから出発した包材の裂け目が開封誘導線に到達し易く、そこからは開封誘導線に沿って裂け目が走るので、包装袋は開封しやすく、また包装袋の開封面がきれいな切り口になる。
【００２６】
開封誘導線が、略水平な開封誘導線中央部と、該開封誘導線中央部の両端から二股に分かれ、それぞれ包材の側端部に向かう４本の開封誘導線端部からなるものである場合には、開封ノッチから出発した裂け目が上下どちらの方向に走っても、必ず開封誘導線端部に行き当たるため、開封時の安定性がより高まる。
【００２７】
また、開封ノッチの先端から水平に引いた線と、前記開封誘導線端部とが交わる角度が１０°以上８０°以下であるので、開封ノッチから出発した裂け目が開封誘導線端部に沿って走る確率が高く、裂け目が開封誘導線から逸れる危険性が低い。
【００２８】
またさらに、開封誘導線端部の先端が、背貼りシール部に到達しているので、開封ノッチから出発した裂け目が開封誘導線に到達し、開封誘導線に沿って走る確率が極めて高くなる。
【００２９】
また、開封誘導線中央部と開封誘導線端部とが、曲線によってなめらかに接続している場合には、包材の裂け目が開封誘導線の端部から中央部に移る時に、外れてしまうことなく確実に繋がり、完全な開封ができる可能性が高い。
【００３０】
また、請求項４に記載の発明においては、印刷を施した包材原反にレーザー加工法によって開封誘導線を形成する工程、印刷を施した包材原反を所定巾にスリットする工程、背貼りシール部を形成し、開封ノッチを設ける工程を少なくとも含む包装袋の製造方法であるから、前述のように開封誘導線を形成するに当たり、レーザー加工機を用いて広幅の状態で開封誘導線をまとめて形成し、しかる後に所定の幅にスリットして個々の包材とすることも可能であるし、印刷を施した包材原反を所定巾にスリットした後に、レーザー加工機を用いて開封誘導線を形成してもよい。従って、製袋機や、充填包装機によって背貼りシール部を形成し、開封ノッチを設ける工程の直前にレーザー加工機をもちいて開封誘導線を形成してもよい。このように、包装袋の構造や使用方法に応じて、最適な製造工程を選択することが可能となる。
【図面の簡単な説明】
【００３１】
【図１】本発明に係る包装袋の一実施形態の外観を示した模式図である。
【図２】図１に示した包装袋を開封した状態を示した模式図である。
【図３】図１に示した包装袋の製袋前の包材の平面模式図である。
【図４】図３に示した包材における開封誘導線の説明図である。
【図５】開封誘導線の他の実施態様を示した説明図である。
【図６】開封誘導線の他の実施態様を示した説明図である。
【図７】開封誘導線の他の実施態様を示した説明図である。
【図８】従来の開封誘導線の説明図である。
【図９】比較例における開封誘導線の説明図である。
【図１０】印刷済みの広幅原反に開封誘導線を形成した状態を示した模式図である。
【発明を実施するための形態】
【００３２】
以下、図面に従って、本発明に係る包装袋について詳細に説明する。
図１は、本発明に係る包装袋の一実施形態の外観を示した模式図であり、図２は図１に示した包装袋を開封した状態を示した模式図である。また図３は、図１に示した包装袋の製袋前の包材の平面模式図であり、図４は、図３に示した包材における開封誘導線の説明図である。以下これらの図面を参照しながら説明する。
【００３３】
本発明に係る包装袋１は、最内層にヒートシール性樹脂層を有する積層体からなる包材２の両側端部を合掌状に貼り合せて背貼りシール部３を形成し、底部および天部をシールしてそれぞれボトムシール部４とトップシール部５を形成してなる筒状構造を有する包装袋である。包装袋１は、背貼りシール部３の所定部位に、開封のきっかけとなる開封ノッチ７を有し、包材２の巾方向中央部に、包装袋１の周方向への引裂きを誘導させる開封誘導線６を有する。開封誘導線６は略水平な開封誘導線中央部６ａと、開封誘導線中央部６ａの両端から所定の角度をもって包材の側端部に向かう開封誘導線端部６ｂとからなり、開封誘導線端部６ｂの先端６ｃは包材２の側端９から１ｍｍ以上内側にあり、開封ノッチ
７は、包材２を縦にした時に開封誘導線６の最下点６ｅから最上点６ｆまでの高さｈの範囲内に存在することを特徴とする包装袋である。
【００３４】
本発明に係る包装袋１は、開封に当たって、開封ノッチ７から出発した包材２の裂け目が開封誘導線端部６ｂに到達し、以後は開封誘導線端部６ｂ、開封誘導線中央部６ａに沿って進行するため、開封操作が容易かつ安定しており、開封面の切り口もきれいになる。このように包装袋を周方向に切断して開封するいわゆる帽子切りをする際、内容物が存在しない包装袋の最上部を切断するのであれば、鋏等の道具を用いれば、きれいに開封することも容易であるが、例えば細長い内容物が収納された包装袋の上部を、収納物の頭が露出するように切断しようとすると、鋏等の道具によってうまく開封することは、難しい。本発明に係る包装袋１は、このような帽子切りによる開封が容易に、また安定して行えるものであり、さらにその製造工程においても、安定した生産が可能なものであることを特徴とする。
【００３５】
図３、図４に示したように、包材２の巾方向中央部に設けられた開封誘導線６は、略水平な開封誘導線中央部６ａと、開封誘導線端部６ｂとからなり、開封誘導線端部６ｂは、開封誘導線中央部６ａの両端から所定の角度をもって包材の側端部に向かっている。開封誘導線端部の先端６ｃは、包材２の側端９から１ｍｍ以上内側にある。すなわち、図４において、開封誘導線端部の先端６ｃと包材の側端９との距離である開封誘導線マージン６ｄが１ｍｍ以上であることを意味する。
【００３６】
開封誘導線６が、包材２の側端９にまで到達していると、ウェブに過大なテンションがかかった場合などに、開封誘導線６を開始点として、ウェブが破断する事故が発生する可能性がある。しかし開封誘導線マージン６ｄが１ｍｍ以上であれば、包材２が縦方向に繋がったウェブ状態の段階において、ウェブにかかるテンションによってウェブが開封誘導線６に沿って破断するという問題が発生しにくくなる。開封誘導線マージン６ｄが１ｍｍ未満であると、広幅の原反に開封誘導線をまとめて形成し、隣り合う開封誘導線の間をスリットするような場合に、スリット位置が開封誘導線に接触する危険性が増えるため好ましくない。
【００３７】
次に開封ノッチ７について説明する。開封ノッチ７は、包材２を縦にした時に前記開封誘導線６の最下点６ｅから最上点６ｆまでの高さｈの範囲内に存在することを特徴とする。通常開封ノッチ７は、包材２の側端部同士を背貼りシールして、背貼りシール部３を形成した後に設けられるので、図３、４の段階においては、開封ノッチ予定位置７ａとして示してある。図３、４の実施形態においては、開封誘導線６が、開封誘導線中央部６ａとこれよりも下向きに伸びる左右両端の開封誘導線端部６ｂとからなるので、開封誘導線最下点６ｅは、開封誘導線端部の先端６ｃであり、開封誘導線最上点６ｆは、開封誘導線中央部６ａに一致する。
【００３８】
開封ノッチ７が、この開封誘導線高さｈの範囲に存在することにより、包装袋を開封する段階において、開封ノッチ７から出発した包材の裂け目は、開封誘導線端部６ｂに到達し、それ以降は、開封誘導線端部６ｂ〜開封誘導線６ａへと走る。その結果、開封操作が円滑になされ、開封後の包装袋の切り口もきれいなものとなる。
【００３９】
実際の開封ノッチ７は、開封ノッチ予定位置７ａに対して、多少位置がばらつくが、このばらつきを見込んだ位置に開封ノッチ予定位置７ａを設定し、また開封誘導線高さｈを、このばらつきの幅よりも大きくすることにより、開封ノッチ７を開封誘導線高さｈの範囲内に納めることが可能となる。通常開封ノッチ７の位置のばらつきは、縦方向でプラスマイナス１ｍｍ程度である。なお、開封ノッチ７は、Ｉノッチ、Ｕノッチ、Ｖノッチ等のいずれでもよい。
【００４０】
次に、図４に示したように、包材を縦にした時に開封ノッチ７（図では開封ノッチ予定位置７ａ）の先端から水平に引いた線と、開封誘導線端部６ｂとが交わる角度θを、１０°以上８０°以下とすることにより、開封ノッチ７から出発した包材の裂け目がより確実に開封誘導線端部６ｂに到達し、開封誘導線６に沿って裂け目が走りやすくなる。角度θの、より好ましい値としては、２０°以上７０°未満であり、４０°以上６５°未満が最も好ましい。
【００４１】
図３に示したように、この実施態様においては、開封誘導線端部の先端６ｃは、背貼りシール予定部３ａに到達しており、最終的には背貼りシール部３に取り込まれる位置にある。開封誘導線端部の先端６ｃが、背貼りシール部３に到達していると、開封ノッチ７から出発した包材の裂け目は、より確実に開封誘導線端部６ｂに到達し、開封誘導線６に沿って裂け目が走りやすくなる。
【００４２】
図５〜７は、開封誘導線６の他の実施態様を示した説明図である。
図５に示した実施態様においては、開封誘導線６が、開封誘導線中央部６ａとこの両端から斜め上向きに包材側端部に向かう開封誘導線端部６ｂとからなる。従ってこの実施態様においては、開封誘導線最下点６ｅは、開封誘導線中央部６ａと一致し、開封誘導線最上部６ｆは、開封誘導線端部の先端６ｃと一致する。従って、開封ノッチ予定位置７ａを、開封ノッチ７がこの最下点６ｅから最上点６ｆの間である開封誘導線高さｈの範囲内になるように設定することにより、本発明の目的が達成される。このように、開封誘導線６は、上に凸の形状でも下に凸の形状でもどちらでもよい。
【００４３】
図６に示した実施態様においては、開封誘導線中央部６ａと開封誘導線端部６ｂとは、曲線によってなめらかに接続している。この実施態様においては、開封ノッチ７から出発した包材の裂け目が開封誘導線端部６ｂから開封誘導線中央部６ａに移る時に、外れてしまうことなく確実に繋がり、完全な開封ができる可能性が高くなり、よりスムーズな開封操作が可能となる。
【００４４】
図７に示した実施態様においては、開封誘導線６は、略水平な開封誘導線中央部６ａと、開封誘導線中央部６ａの両端から二股に分かれ、それぞれ所定の角度をもって包材２の側端部に向かう４本の開封誘導線端部６ｂからなることを特徴とする。この実施態様においては、開封誘導線最下点６ｅは、開封誘導線中央部６ａから下方向にのびる開封誘導線端部６ｂの先端６ｃであり、開封誘導線最上点６ｆは、開封誘導線中央部６ａから上方向にのびる開封誘導線端部６ｂ’の先端６ｃ’である。この実施態様においては、開封誘導線高さｈを広くとることが容易となり、開封ノッチ７から出発した包材の裂け目がより確実に開封誘導線端部６ｂに補足されるため、より確実な開封が可能となる。
【００４５】
本発明に係る包装袋の形式としては、図１に示したようないわゆるピロー包装袋の他、両脇部を内側に折り込んでガセット部を形成したガセット袋や、さらに底テープを用いてスタンディングパウチ形式とした包装袋等、さまざまな形式の包装袋に応用が可能である。
【００４６】
本発明において、積層体からなる包材２の外層として使用するフィルムとしては、包装袋１を構成する基本素材となることから、たとえば、ポリエステル系、ポリアミド系、ポリプロピレン系、ポリカーボネート系、ポリアセタール系等の合成樹脂フィルムを用いることができる。この外層として使用する合成樹脂フィルムには、一般的に内層側の面に印刷が施されることが多いために、印刷適性が求められる。このため外層として使用する合成樹脂フィルムとしては、２軸方向に延伸した延伸フィルムが好ましい。
【００４７】
外層フィルムの厚みとしては基本素材としての強度、剛性などについて必要最低限に保持され得る厚さであればよく、１２〜２５μｍ程度が適当である。また、前記フィルムとしてアルミニウムや酸化珪素、酸化アルミニウム、酸化インジウム、酸化錫、酸化ジルコニウム等の無機物の蒸着層が形成されたフィルムを使用した場合、包材にバリア性を付与することも可能となる。さらに、易カット性を向上させるために、セロファンや手切れ性の良いポリエステルフィルム等を使用しても良い。
【００４８】
次に、最内層として使用するヒートシール性を有する樹脂としては、例えば、低密度ポリエチレン樹脂、中密度ポリエチレン樹脂、高密度ポリエチレン樹脂、直鎖状（線状）低密度ポリエチレン樹脂、ポリプロピレン樹脂、エチレン−酢酸ビニル共重合体樹脂、アイオノマー樹脂、エチレンーアクリル酸共重合体樹脂、エチレンーアクリル酸メチル共重合体樹脂、エチレンーメタクリル酸共重合体樹脂、エチレンープロピレン共重合体樹脂等の、熱によって溶融し相互に融着し得るものが挙げられる。これらは単体または２種以上使用しても良く、樹脂およびこれらをフィルム化したシートを使用しても良い。厚みとしては１５〜１００μｍが望ましく、３０〜５０μｍがより好ましい。
【００４９】
本発明においては、前記外層と前記内層の間に中間層を設けてもよい。例えば、アルミニウム、鉄、銅、錫等の金属箔、あるいは、ポリエチレンテレフタレート樹脂、ポリアミド樹脂、ポリエチレン樹脂、ポリプロピレン樹脂、ポリ塩化ビニル樹脂、ポリカーボネート樹脂、ポリビニルアルコール樹脂、エチレンープロピレン共重合体樹脂、エチレン−酢酸ビニル共重合体ケン化物、ポリ塩化ビニリデン樹脂等のフィルム、あるいはこれらにアルミニウムや酸化珪素、酸化アルミニウム、酸化インジウム、酸化錫、酸化ジルコニウム等の無機物の蒸着を施したフィルムを使用することができ、これらは単体または２種以上組み合わせて使用しても良い。
これらのフィルムを中間層に設けることにより、ガスバリア性、水蒸気バリア性、機械的強度、耐屈曲性、耐突き刺し性、耐衝撃性、耐磨耗性、耐寒性、耐熱性、耐薬品性等を向上させることが可能となる。
【００５０】
次に開封誘導線６を形成するための方法について説明する。
開封誘導線６は、包材を構成する積層体の少なくとも外層を切断し、最内層を残したハーフカット線とするのが好ましい。ハーフカット線を形成する方法としては、刃物による方法やレーザー加工機による方法がある。近年においては、レーザー加工機が発達、普及したために、レーザー加工機の優位性が増している。
【００５１】
レーザー加工機としては、連続またはパルス発振形式を有する炭酸ガスレーザー、ＹＡＧレーザー、エキシマレーザーなどを用いたレーザー加工機が挙げられるが、食品等、内容物のガスバリア性が要求される場合には、例えば最内層のシーラント層のみを残すような選択的なカットが可能な炭酸ガスレーザーの使用がより好ましい。
【００５２】
レーザー加工機を用いて開封誘導線６を形成する工程としては、印刷済みの広幅原反を所定の包材幅にスリット加工する時点で行なうこともできるし、スリット加工後に行うこともできる。図１０は、印刷済みの広幅原反に開封誘導線６を形成した状態を示した模式図である。本発明に係る包装袋に用いる包材２は、先に説明した開封誘導線マージンが存在するために、隣り合う開封誘導線６同士が離れており、従って後からスリットする時に、開封誘導線６の間をねらってスリット予定位置１０の位置をスリットすることができる。このように印刷済みの広幅原反をスリット加工する前に開封誘導線６を形成することが可能であるため、開封誘導線６の形成を効率的に行うことができる。開封誘導線６の形成に当たっては、印刷時点で形成したレジスターマーク１１を読み取り、絵柄に合せて所定の位置に形成する。
【００５３】
本発明に係る包装袋の製造工程としては、外層フィルムに所定の絵柄を印刷する印刷工程、外層フィルムに中間層、最内層を貼り合わせて包材原反を作成する工程、印刷を施した包材原反にレーザー加工法によって開封誘導線を形成する工程、印刷を施した包材原反を所定巾にスリットする工程、背貼りシール部を形成し、開封ノッチを設ける工程が少なくとも含まれる。開封誘導線を形成する工程としては、スリット工程の直前あるいは直後、製袋機や充填包装機において背貼りシール部を形成する直前等に設けることが可能であるが、本発明の特徴を最も有効に発揮させるのは、スリット工程の直前である。
【００５４】
一方、スリット工程後に開封誘導線を設ける場合には、レーザー加工機による開封誘導線加工工程を独立に設けてもよいし、あるいは製袋機や充填包装機上にレーザー加工機を設置して、製袋加工の直前に開封誘導線を形成してもよい。いずれの場合も、レーザー加工機としては、スリット後の狭巾に対応するものでよいため、レーザー加工機のコストは大幅に低減する。近年、製袋と同時に充填を行う充填包装機も一般化しており、このような充填包装機にレーザー加工機を設置すれば、開封誘導線の形成と製袋に加えて、内容物の充填までを一貫して一工程で実施することができる。このような充填包装機としては、一般的な横ピロー包装機、縦ピロー包装機や給袋包装機等が含まれる。
【００５５】
いずれの場合であっても、レーザー加工の位置決めは、印刷工程において設けられたレジスターマーク１１を読み取ることによって行われるが、レーザー加工機をソフト的に制御することにより、必ずしも包材原反が一定速度で流れている時に限らず、加減速時や、停止時にも可能である。
以下実施例に従って、本発明に係る包装袋についてさらに具体的に説明するが、本発明はこれらの実施例に限定されるものではない。
【実施例１】
【００５６】
厚さ１２μｍ、７２０ｍｍ幅の二軸延伸ポリエチレンテレフタレート（ＰＥＴ）フィルムと厚さ３０μｍ、７２０ｍｍ幅の低密度ポリエチレン（ＬＤＰＥ）樹脂フィルムをドライラミネーション法により貼合せ、包材を得た。
続いて、炭酸ガスレーザー加工機を用いて幅方向に図１０のように開封誘導線を形成した後、１４０ｍｍ幅となるようにスリット加工を施した。開封誘導線の詳細は、図４に示した通りである。次に、背貼りシール部の幅が１０ｍｍとなる、図１に示したようなピロー包装袋を作製し、ピローに対して幅方向に略水平に延びた開封誘導線中央部と開封誘導線端部先端の間すなわち開封誘導線高さの範囲内に位置するよう、開封きっかけの為のＩノッチを設けた。
【実施例２】
【００５７】
炭酸ガスレーザー加工機を用いて、図７のような形状の開封誘導線を施した以外は実施例１と同様にして、包装袋を作製した。
【実施例３】
【００５８】
開封誘導線の形成をスリット加工前に実施せず、レーザー加工機を製袋機の巻出部に設置して、製袋加工の直前に開封誘導線の形成を行った以外は、実施例１と同様にして、包装袋を作成した。
＜比較例１＞
【００５９】
炭酸ガスレーザー加工機を用いて、図８のような形状の開封誘導線を施した以外は実施例１と同様にして、包装袋を作製した。
＜比較例２＞
【００６０】
炭酸ガスレーザー加工機を用いて、図９のような形状の開封誘導線を施し、Ｉノッチ位
置を幅方向に略水平に延びた開封誘導線上と開封誘導線端部の先端との間すなわち開封誘導線高さの範囲に存在しないように設けた以外は実施例１と同様に包装袋を作製した。
上記で得られた各包装袋について、開封テストを実施した結果を表１に示す。
【００６１】
【表１】
0005573304.tif 000002
【００６２】
この結果からも分るように、本発明に係る包装袋は、開封操作を安定して行うことができ、開封後の切り口も美麗である。また製造工程においても安定した生産が実施できる。
【符号の説明】
【００６３】
１・・・包装袋
２・・・包材
３・・・背貼りシール部
３ａ・・・背貼りシール予定部
４・・・ボトムシール部
５・・・トップシール部
６・・・開封誘導線
６ａ・・・開封誘導線中央部
６ｂ・・・開封誘導線端部
６ｃ・・・開封誘導線端部の先端
６ｄ・・・開封誘導線マージン
６ｅ・・・開封誘導線最下点
６ｆ・・・開封誘導線最上点
ｈ・・・開封誘導線高さ
θ・・・開封ノッチの先端から水平に引いた線と開封誘導線端部とが交わる角度
７・・・開封ノッチ
７ａ・・・開封ノッチ予定位置
８・・・包材幅
９・・・包材側端
１０・・・スリット予定位置
１１・・・レジスターマーク
【図１】
0005573304.tif 000003
【図２】
0005573304.tif 000004
【図３】
0005573304.tif 000005
【図４】
0005573304.tif 000006
【図５】
0005573304.tif 000007
【図６】
0005573304.tif 000008
【図７】
0005573304.tif 000009
【図８】
0005573304.tif 000010
【図９】
0005573304.tif 000011
【図１０】
0005573304.tif 000012